【手続補正書】
【提出日】平成18年12月25日(2006.12.25)
【手続補正１】
【補正対象書類名】特許請求の範囲
【補正対象項目名】全文
【補正方法】変更
【補正の内容】
【特許請求の範囲】
【請求項１】
ビデオデコーダの電力消費とビデオ品質との最適な対を判定するための方法で、
ターゲットプラットフォームを定義し、
複数のビデオ復号化プロファイルを識別し、
複数のビデオストリームに対して前記複数のビデオ復号化プロファイル各々の性能を測定し、
前記複数のビデオ復号化プロファイルの一部分を識別し、前記複数のビデオ復号化プロファイルの当該一部分は各々が異なる電力レベルと関連付けられる、ことを特徴とする方法。
【請求項２】
前記複数のビデオ復号化プロファイルの当該一部分をビデオデコーダに実施することを特徴とする請求項１に記載の方法。
【請求項３】
前記複数のビデオ復号化プロファイルはモジュールと関連付けられるオルタナティブを有し、前記モジュールは、フレームメモリ圧縮、色変換、フレーム表示スキップ、フレームスケーリング、クロマスキップ、逆離散コサイン変換、デブロッキング及びデリンギング、エラー隠蔽、及び拡張エラー検出からなるグループから選択されることを特徴とする請求項１に記載の方法。
【請求項４】
前記ターゲットプラットフォームは、プロセッサと、ディスプレイ、及び前記ビデオデコーダと関連付けられるメモリによって定義されることを特徴とする請求項１に記載の方法。
【請求項５】
前記オルタナティブは、前記モジュールの各々と関連付けられる機能により異なる表示品質レベルを提供する電力関連オルタナティブであることを特徴とする請求項３に記載の方法。
【請求項６】
複数のビデオストリームに対して前記複数のビデオ復号化プロファイル各々の性能を測定する操作は、
ビデオ品質対電力消費のプロットの上側包絡線上の点を画定することを含み、当該点の各々は前記複数のビデオストリームの一つに適用される前記複数のビデオ復号化プロファイルの一つの単一性能測定に対応することを特徴とする請求項１に記載の方法。
【請求項７】
複数のビデオストリームに対して前記複数のビデオ復号化プロファイル各々の性能を測定する操作は、
前記複数のビデオ復号化プロファイル各々に応じて前記複数のビデオストリーム各々を復号化するのに消費される電力を量子化し、
前記複数のビデオ復号化プロファイル各々に応じて前記複数のビデオストリーム各々を復号化するビデオ品質を識別することを特徴とする請求項１に記載の方法。
【請求項８】
画像データをパワースケーリング可能な方法で復号化する方法であって、
ビデオ復号化システムが使用可能な電力レベルをモニタし、
しきい値電力レベルを識別し、
前記使用可能電力レベルが前記しきい値電力レベルの一つを超えると、
前記ビデオ復号化システムと関連付けられる電力消費レベル及びビデオ表示品質を共に変えることを特徴とする方法。
【請求項９】
ビデオ復号化システムが使用可能な電力レベルをモニタする操作は、
前記電力レベルと関連付けられるデータを有するレジスタを査定することを含むことを特徴とする請求項８に記載の方法。
【請求項１０】
前記しきい値電力レベルは予め定められることを特徴とする請求項８に記載の方法。
【請求項１１】
前記ビデオ復号化システムと関連付けられる電力消費レベル及びビデオ表示品質を共に変える操作は、
使用可能な電力レベルが下降しているか上昇しているかを判定することを特徴とする請求項８に記載の方法。
【請求項１２】
使用可能な電力レベルが下降している場合には、
前記電力消費レベル及びビデオ表示品質を共に低減させることを特徴とする請求項１１に記載の方法。
【請求項１３】
前記ビデオ復号化システムと関連付けられる電力消費レベル及びビデオ表示品質を共に変える操作は、
前記ビデオ復号化システムと関連付けられる命令数及びメモリアクセス数のうちの一方を調整することを特徴とする請求項８に記載の方法。
【請求項１４】
画像データをパワースケーリング可能な方法で復号化するためのプログラム命令を有するコンピュータプログラム製品であって、
しきい値電力レベルを識別するためのプログラム命令と、
ビデオ復号化システムが使用可能な電力レベルをモニタするためのプログラム命令と、
前記ビデオ復号化システムが使用可能な電力レベルが前記しきい値電力レベルの一つを超えたかを判定するためのプログラム命令と、
前記ビデオ復号化システムと関連付けられる電力消費レベル及びビデオ表示品質を共に変えるためのプログラム命令とを有し、前記変えるためのプログラム命令は前記使用可能な電力レベルが前記しきい値電力レベルの一つを超えることでトリガーされることを特徴とするコンピュータプログラム製品。
【請求項１５】
前記ビデオ復号化システムが使用可能な電力レベルをモニタするためのプログラム命令は、
前記電力レベルと関連付けられるデータを有するレジスタを査定するためのプログラム命令を有することを特徴とする請求項１４に記載のコンピュータプログラム製品。
【請求項１６】
前記ビデオ復号化システムと関連付けられる電力消費レベル及びビデオ表示品質を共に変えるプログラム命令は、
使用可能な電力レベルが下降中か上昇中かを判定するためのプログラム命令を含むことを特徴とする請求項１４に記載のコンピュータプログラム製品。
【請求項１７】
前記使用可能な電力レベルが下降中ならば、前記プログラム命令は、
前記電力消費レベル及び該ビデオ表示品質を低減するように構成されたビデオ復号化プロファイルを選択するためのプログラム命令を含むことを特徴とする請求項１６に記載のコンピュータプログラム製品。
【請求項１８】
パワースケーリング可能なビデオ復号化装置であって、
画像データを復号化するための復号化状態を選択するために前記ビデオ復号化システムが使用可能な電力レベルをモニタするように構成されたプロセッサを備え、前記プロセッサは検出された変化に基づいて前記復号化状態を前記使用可能な電力レベルに調整できるようになっており、さらに
圧縮データを保持すると共に前記圧縮された画像データと関連付けられる復号化されたフレームを保持するように構成されたメモリと、
前記復号化されたフレームを表示するように構成された表示画面と、
前記プロセッサ、前記メモリ、前記表示画面間の通信を可能にするバスとを備えることを特徴とするビデオ復号化装置。
【請求項１９】
前記装置は、携帯電話、パーソナルデジタルアシスタント、ポケットパソコン、ウェブタブレット、及びラップトップコンピュータからなるグループから選択されることを特徴とする請求項１８に記載のパワースケーリング可能なビデオ復号化装置。
【請求項２０】
前記プロセッサは液晶表示（ＬＣＤ）コントローラで、表示画面はＬＣＤ表示画面であることを特徴とする請求項１８に記載のパワースケーリング可能なビデオ復号化装置。
【請求項２１】
前記復号化状態はオルタナティブの組合せを含み、前記オルタナティブは各々が複数のモジュールのうちの一つと関連付けられることを特徴とする請求項１８に記載のパワースケーリング可能なビデオ復号化装置。
【請求項２２】
前記複数のモジュールは、フレームメモリ圧縮、色変換、フレーム表示スキップ、フレームスケーリング、クロマスキップ、逆離散コサイン変換、デブロッキング及びデリンギング、エラー隠蔽、及び拡張エラー検出からなるグループから選択されることを特徴とする請求項２１に記載のパワースケーリング可能なビデオ復号化装置。
【請求項２３】
前記オルタナティブは各々、異なる電力消費レベルと関連付けられることを特徴とする請求項２１に記載のパワースケーリング可能なビデオ復号化装置。
【請求項２４】
前記プロセッサは、デジタル信号処理プロセッサ（ＤＳＰ）及び特定用途向け集積回路のうちの一つであることを特徴とする請求項１８に記載のパワースケーリング可能なビデオ復号化装置。
【請求項２５】
ビデオ復号化システムと関連付けられる集積回路チップであって、
前記ビデオ復号化システムが使用可能な電力レベルをモニタするための回路機構を備え、
第１品質レベルと関連付けられるビデオ復号化状態を選択するための回路機構を備え、前記ビデオ復号化状態は使用可能な電力レベルに基づき、
前記使用可能な電力レベルが変わりしきい値電力レベルを超えたかを判定して、前記ビデオ復号化状態を選択するための前記回路機構に第２品質レベルと関連付けられる修正ビデオ復号化状態を選択させるための回路機構を備え、
選択されたビデオ復号化状態に応じて画像データを復号化するための回路機構を備えることを特徴とする集積回路チップ。
【請求項２６】
前記ビデオ復号化状態は電力消費オルタナティブの組合せを含み、前記電力消費オルタナティブの各々は一つのビデオ復号化モジュールと関連付けられることを特徴とする請求項２５に記載の集積回路チップ。
【請求項２７】
前記ビデオ復号化状態と前記修正されたビデオ復号化状態とは少なくとも一つの電力消費オルタナティブが異なり、前記少なくとも一つの電力消費オルタナティブは、電力消費レベルを調整するために、前記画像データの復号化と関連付けられる命令数及びメモリアクセス数のうちの一つを修正することを特徴とする請求項２５に記載の集積回路チップ。
【請求項２８】
前記使用可能な電力レベルが低下してしきい値電力レベルを超えると、前記第２品質レベルと関連付けられる表示画像は、前記第１品質レベルと関連付けられる表示画像と比べ表示品質が劣ることを特徴とする請求項２５に記載の集積回路チップ。
【請求項２９】
コンピューティング装置によってレンダリングされるグラフィカルユーザインタフェース（ＧＵＩ）であって、
ビデオデコーダと関連付けられる電力消費モードを選択するためのユーザインタフェースからなり、前記ユーザインタフェースは前記電力モードの選択動作を引き起こすためのコンピュータコードを含み、前記ユーザインタフェースによりユーザは複数の復号化状態を選ぶことができることを特徴とするＧＵＩ。
【請求項３０】
前記電力消費モードは、ドロップダウンメニュによって提供される電力消費モードの範囲から選択されることを特徴とする請求項２９に記載のＧＵＩ。
【請求項３１】
前記電力消費モードの範囲からの各電力消費モードは、前記複数の復号化状態のうちの一つと関連付けられることを特徴とする請求項２９に記載のＧＵＩ。
【請求項３２】
ビデオ復号化のための画像データを保持するために方法であって、
圧縮された画像データを受け取り、
前記圧縮画像データを解凍画像データに復号化し、
１フレームの画像データに対応する輝度及びクロミナンスデータを識別し、
前記画像データフレームの前記輝度及びクロミナンスデータを連続して保持することを特徴とする方法。
【請求項３３】
前記画像データフレームの前記識別された輝度及びクロミナンスを再圧縮することを特徴とする請求項３２に記載の方法。
【請求項３４】
前記画像データフレームの前記識別された輝度及びクロミナンスを再圧縮する操作は、
前記識別された輝度及びクロミナンスデータを再圧縮するために差分パルスコード変調圧縮技法を活用することを含むことを特徴とする請求項３３に記載の方法。
【請求項３５】
前記識別された輝度及びクロミナンスデータを再圧縮するのに無損失圧縮技法が用いられることを特徴とする請求項３３に記載の方法